(57)【要約】【課題】包帯としての機能上の問題、製造コスト、使用上の利便性を改善することである。【解決手段】指に被せて用いるサック状の包帯であって、普通糸を用いてサック状に構成された指被覆部１と、前記指被覆部１の他端に、伸縮糸を用いてサック状に構成されたて指被覆部押さえ部３とから成り、前記指被覆部１の他端部１Ｂと、前記指被覆部押さえ部３の他端部３Ｂとが、両者のサック状の指挿入空間Ｓ１，Ｓ２を断絶する閉鎖連結部２を介して連結されている。【選択図】      図１
2005125053.tif 000002
【特許請求の範囲】
【請求項１】
指に被せて用いるサック状の包帯であって、
普通糸を用い、一端に指を挿入できるように開口１Ａを備えた所定長さのサック状に構成された指被覆部１と、
前記指被覆部１の他端に、伸縮糸を用い、一端に開口３Ａを備えた所定長さのサック状に構成されたて指被覆部押さえ部３とから成り、
前記指被覆部１の他端部１Ｂと、前記指被覆部押さえ部３の他端部３Ｂとが、両者のサック状の指挿入空間Ｓ１，Ｓ２を断絶する閉鎖連結部２を介して連結され、
前記指被覆部１が所要の指に被せられた状態において、前記指被覆部押さえ部３が前記閉鎖連結部２を境として裏返しされて前記指被覆部１を弾性的に囲繞するように被せることができるように構成された、
指サック状の包帯。
【請求項２】
前記指被覆部１、閉鎖連結部２、及び指被覆部押さえ部３は、横編み機又は手袋編み機によって、糸を変えることで連続的に編成されている請求項１の指サック状の包帯。
【請求項３】
前記指被覆部１の開口１Ａの一部分１Ｃが、伸縮糸により編成され、指を絞り作用で挟持するように構成されている請求項１又は請求項２の指サック状の包帯。
【請求項４】
前記指被覆部押さえ部３が、所定長さを越えた所定長さＬの延長部４を有し、該延長部４を該包帯の留め付け手段として用いるように構成した、請求項１乃至請求項３の指サック状の包帯。
【請求項５】
前記普通糸が綿糸であり、前記伸縮糸が弾性を有する機能性繊維である請求項１乃至請求項４の指サック状の包帯。
【発明の詳細な説明】
【技術分野】
【０００１】  本発明は、主に手足の指の傷等に用いる包帯に関し、特に、指に被覆して用いるところの指サック状に構成された包帯に関する。
【背景技術】
【０００２】  従来、一般の包帯は、綿糸で織った、或いは編成した帯状のものであり、この種の包帯の使用は、これを巻く技術が必要であり、単に指に巻き付けるだけでは、解けてくる。また、巻き終わりに至っては、その端部を二つに裂いて結び代を作るか、留め具を用いて係止しなければならないという面倒がある。
尚、軽微な傷については、パッチタイプ（テープ式）の絆創膏で充分であるが、重くなれば包帯が必要であるし、また、そうした絆創膏を更に止めつける意味での包帯も必要である。【０００３】  これを改善しようとして、最近に至って、従来の包帯に変わる簡便な包帯機能を発揮する手段が開発され、提案されている。
【特許文献１】特開平１１−１６９６２３。ここでは、腕や他の管状部に対して被覆して用いる環状繊維体が提案されている。これは、複数の異なる層を有するリング状又は筒状に形成した繊維体で、外層を伸縮性の低い素材で形成し、最内層は湿潤性の高い素材で形成したものである。
【特許文献２】特開平２００２−３１５７７４。ここでは、チューブ型包帯として、同様にアトピー患者の患部（身体、足、手等）に被覆して用いるもので、長尺の伸縮性チューブ（可撓性素材）を患部に合わせて所定長さ切断して使用するというものである。
【発明が解決しようとする課題】
【０００４】  前者（特開平１１−１６９６２３）は、患部に被覆させ、弾性を利用して緊縛することができるが、筒状という形状によって、手足の指に被せると、指先側が開口状態であるので、ここから雑菌が侵入し易いという問題と、該包帯の指先側が開口しているので、指の長手方向での安定性がなく、ポケットに手を差し入れた場合等、該包帯を、指の根元側に扱くことがあると、包帯が容易に指の根元側にズレてしまうという問題もある。勿論、筒状の多層構造とするための製造コストもかかる。
【０００５】  後者（特開平２００２−３１５７７４）は、前者と同様に、チューブ状（筒状）であるという点で同じであって、同様の問題点を有するものであり、且つ、これは、アトピー用という身体の全体を覆うような患部に対して好適なもので、湯に浸して絞った状態で使用するという特異な包帯である。
【０００６】  従って、これらの新しい包帯は、従来の帯状包帯の欠点を補うものであるが、上述した機能上の問題と共に製造コストといった問題が解消されていず、また、一見すると所要長さを切断して使用するという経済性があるように見えるが、使用に際して包帯の所要長さの切断作業が必要であるという手間がかかり、使用上の利便性が今ひとつ欠けているものである。
【課題を解決するための手段】
【０００７】  本発明は、かかる問題を解消するべく、指に被せて用いるサック状の包帯であって、普通糸を用い、一端に指を挿入できるように開口１Ａを備えた所定長さのサック状に構成された指被覆部１と、前記指被覆部１の他端に、伸縮糸を用い、一端に開口３Ａを備えた所定長さのサック状に構成されたて指被覆部押さえ部３とから成り、前記指被覆部１の他端部１Ｂと、前記指被覆部押さえ部３の他端部３Ｂとが、両者のサック状の指挿入空間Ｓ１，Ｓ２を断絶する閉鎖連結部２を介して連結され、前記指被覆部１が所要の指に被せられた状態において、前記指被覆部押さえ部３が前記閉鎖連結部２を境として裏返しされて前記指被覆部１を弾性的に囲繞するように被せることができるように構成された。
尚、本発明に言う指とは手足の指、そして、１本のみならず、複数本をも対象とする。また、前記指被覆部１は、それ自体が患部に直接当たる包帯であっても良いし、予めガーゼやテープ式の絆創膏を使用した上でこの包帯を使用してよい。
【発明の効果】
【０００８】  本発明によれば、包帯として、１つの単体として製造されるものであるので、使用に際して、従来の帯状包帯や筒状包帯の如く、使用に際して所定長さ切断しなければならないというものではなく、１つの包帯を包装から取り出すだけで、直ちに使用できる。
【０００９】  そして、互いに対向して連結された二種の指被覆部と指被覆部押さえ部から構成された単品であり、普通糸で構成された指被覆部が軽く容易に指サックの如く指に被覆された後に、他方の弾性を有する指被覆部押さえ部が裏返しされてその上に被覆され、指被覆部を抑えて指を弾性挟持するので、確実に患部を包み込むことが出来る。
【００１０】  そして、前記指被覆部１の他端部１Ｂと、前記指被覆部押さえ部３の他端部３Ｂとが、両者のサック状の指挿入空間Ｓ１，Ｓ２を断絶する閉鎖連結部２を介して連結されるので、前記被覆部押さえ部３が裏返しされて前記指被覆部１に被せられた時に、その閉鎖連結部２が指先を閉鎖するように機能し、従来の筒状包帯の如く指先先端部が開口状態になるといった不都合が無く、指先先端からの雑菌侵入を阻止出来る。
【発明を実施するための最良の形態】
【００１１】  本発明においては、前記指被覆部１、閉鎖連結部２、及び指被覆部押さえ部３は、横網み機又は手袋編み機によって、糸を変えることで連続的に編成されるのが、生産性、コスト低減上から好ましい。【００１２】  また、前記指被覆部１の開口１Ａの一部分１Ｃが、伸縮糸により編成され、指を絞り作用で挟持するように構成されているのが好ましい。これにより、前記指被覆部１を指に被せた際に、指の根元側を挟持状態とすることが出来て、次ぎの、指被覆部押さえ部３の被せ作業時に、前記指被覆部１の位置を安定保持させることが出来て、スムースな被せを行ない易い。【００１３】  更に、前記指被覆部押さえ部３が、所定長さを越えた所定長さＬの延長部４を有し、該延長部４を該包帯の留め付け手段として用いるように構成することが好ましく、この延長部４によって、前記包帯を手、手首等に結びつける等して、依り一層確実な固定が可能である。【００１４】  また、前記普通糸が綿糸であり、前記伸縮糸が弾性を有する機能性繊維であるのが好ましく、この綿糸としては、例えば、仕上げに柔らか味のある１０／１，２０／１，４０／１単糸が好ましいが、それらの双糸のものでもよく、また、混紡糸（抗菌加工繊維）を用いるのが好ましい。更に、伸縮糸としては、複数本のＦＴＹ（ポリウレタンのカバーリング糸）或いはゴム糸が好ましい。前者は、蒸気の熱処理によって、収縮せしめて用いる。
【実施例１】
【００１５】  本発明の実施例１について、図１乃至図５に基づき以下詳述する。
図１に示すのは、指に被せて用いるサック状の包帯の側面図であって、図２は、その平面図であり、普通糸として、２０／１（単糸）の綿糸を用い、横編み機を用いて、一端に指を挿入できるように開口１Ａを備えた所定長さのサック状に構成された指被覆部１と、前記指被覆部１の他端に、伸縮糸として、機能性繊維であるＦＴＹ（ポリウレタンのカバーリング糸）を用い、一端に開口３Ａを備えた所定長さのサック状に構成されたて指被覆部押さえ部３とを、それらの糸の供給を切り替えることで、連続的に編成されている。尚、最終工程においては、前記指被覆部押さえ部３に対して、蒸気による熱収縮の加工を加えるものとする。【００１６】  この際、前記指被覆部１の他端部１Ｂと、前記指被覆部押さえ部３の他端部３Ｂとが、図１及び図２にも示す如く、両者のサック状の指挿入空間Ｓ１，Ｓ２を断絶する閉鎖連結部２を介して連結されている。この閉鎖連結部２は、前記指被覆部押さえ部３の他端部３Ｂにおいて編成されていると共に前記指被覆部１の他端部１Ｂの側に指先挿入空間を形成しながら僅かに延長されていて、この延長部２Ａによって、前記指被覆部１の他端部１Ｂに指先を挿入したときに、指先がその延長部２Ａの伸縮糸の弾性によって挟持された状態となって、被せ位置を保持し易くなり、前記指被覆部押さえ部３の裏返し作業時を、安定した状態で行ない得る。【００１７】  このように、サック状の包帯の装着に際して、図３に示す装着開始の状態から、図１及び図２に示す如く、前記指被覆部１が所要の指に被せ、次いで、図４に示す如く、前記指被覆部押さえ部３が前記閉鎖連結部２を境として裏返しされて前記指被覆部１を弾性的に囲繞するように被せることができるように構成されているものである。そして、前述の指被覆部押さえ部３が完全に裏返しされて、図５に示す如き、装着完了状態に至る。そして、この実施例では、前記指被覆部１、閉鎖連結部２、及び指被覆部押さえ部３は、横編み機又は手袋編み機によって、糸を変えることで連続的に編成されているが、これに代えて、手袋編み機を用いて編成してもよい。【００１８】  また、この実施例１では、ここでは、図１乃至図５に示す如く、前記指被覆部１の開口１Ａの一部分１Ｃが、伸縮糸により編成され、指を絞り作用で挟持するように構成されている。このように、前記指被覆部１の開口１Ａの一部分１Ｃが、伸縮糸により編成されることにより、前記指被覆部１を指に被せた際に、指の根元側を挟持状態とすることが出来て、次ぎの、指被覆部押さえ部３の被せ作業時に、前記指被覆部１の位置を安定保持させることが出来て、スムースな被せを行ない易いのである。勿論、こうした開口１Ａの一部分１Ｃを伸縮糸により編成することなく、普通糸によって編成しても良い。
【実施例２】
【００１９】  この実施例２は、基本的な構成は実施例１と同じであり、対応する部材、作用についての重複説明は省くが、ここでは、図６に示すように、前記指被覆部押さえ部３が、所定長さを越えた所定長さＬの延長部４を有し、該延長部４を、切り裂いて、上述した装着工程が完了した後に、該包帯の留め付け手段（手首等への結び）として用いることが出来るように構成してある。
【産業上の利用可能性】
【００２０】  本発明の活用例として、１本の指のみでなく、２本或いは３本の指に対しても適用できるように、僅かに大径に編成するようにしても良い。また、逆に小さな径、長さに編成することによって、子供の足指に対して適用できるようにすることが出来る。
【図面の簡単な説明】
【００２１】
【図１】第１実施例のサック状の包帯の側面図である。
【図２】第１実施例のサック状の包帯の平面図である。
【図３】第１実施例のサック状の包帯の−使用状態を示す平面図である。
【図４】第１実施例のサック状の包帯の一使用状態を示す斜視図である。
【図５】第１実施例のサック状の包帯の一使用状態を示す斜視図である。
【図６】第２実施例のサック状の包帯の斜視図である。
【符号の説明】
【００２２】１：指被覆部
１Ａ：開口
１Ｂ：他端部
１Ｃ：一部分
２：閉鎖連結部
３：指被覆部押さえ部
３Ａ：開口
３Ｂ：他端部
４：延長部
Ｓ１：指挿入空間
Ｓ２：指挿入空間
Ｌ：所定長さ
【図１】
2005125053.tif 000003
【図２】
2005125053.tif 000004
【図３】
2005125053.tif 000005
【図４】
2005125053.tif 000006
【図５】
2005125053.tif 000007
【図６】
2005125053.tif 000008